(57)【要約】【課題】デザイン性に優れると共に、紐部材を容易に装着することができ、また、紐部材を容易に交換することができるスライドファスナー用スライダーの引手を提供する。【解決手段】引手１０は、平板状の引手部材２０と、引手部材２０に取り付けられる紐部材４０と、を備え、引手部材２０は、連結部２２から延設されて紐部材４０が取り付けられる取付部３０を有し、取付部３０は、表裏方向に貫通する第１挿通孔３１及び第２挿通孔３２を有し、第１挿通孔３１は、取付部３０の左右方向中央に配置され、第２挿通孔３２は、少なくとも一部が第１挿通孔３１と連結部２２との間に配置され、紐部材４０は、所定長さの紐体４１の略中央を折り返して形成した折り返し部を有し、その折り返し部を第１挿通孔３１及び第２挿通孔３２の少なくとも一方に、少なくとも１度挿通されて取付部３０に取り付けられる。【選択図】図１
2015213601.tif 000002
【特許請求の範囲】
【請求項１】
スライドファスナー用スライダー（１１）のスライダー胴体（１２）に取り付けられる引手（１０，１０Ａ，１０Ｂ，１０Ｃ）であって、
前記引手（１０，１０Ａ，１０Ｂ，１０Ｃ）は、平板状の引手部材（２０，２０Ａ，２０Ｂ，２０Ｃ）と、前記引手部材（２０，２０Ａ，２０Ｂ，２０Ｃ）に取り付けられる紐部材（４０）と、を備え、
前記引手部材（２０，２０Ａ，２０Ｂ，２０Ｃ）は、前記スライダー胴体（１２）に取り付けられる連結部（２２，２２Ａ，２２Ｂ，２２Ｃ）と、前記連結部（２２，２２Ａ，２２Ｂ，２２Ｃ）から延設されて前記紐部材（４０）が取り付けられる取付部（３０，３０Ａ，３０Ｂ，３０Ｃ）と、を有し、
前記取付部（３０，３０Ａ，３０Ｂ，３０Ｃ）は、表裏方向に貫通する第１挿通孔（３１，３１Ａ，３１Ｂ，３１Ｃ）及び第２挿通孔（３２，３２Ａ，３２Ｂ，３２Ｃ）を有し、
前記第１挿通孔（３１，３１Ａ，３１Ｂ，３１Ｃ）は、前記取付部（３０，３０Ａ，３０Ｂ，３０Ｃ）の左右方向中央に配置され、
前記第２挿通孔（３２，３２Ａ，３２Ｂ，３２Ｃ）は、少なくとも一部が前記第１挿通孔（３１，３１Ａ，３１Ｂ，３１Ｃ）と前記連結部（２２，２２Ａ，２２Ｂ，２２Ｃ）との間に配置され、
前記紐部材（４０）は、所定長さの紐体（４１）の略中央を折り返して形成した折り返し部を有し、前記折り返し部を前記第１挿通孔（３１，３１Ａ，３１Ｂ，３１Ｃ）及び前記第２挿通孔（３２，３２Ａ，３２Ｂ，３２Ｃ）の少なくとも一方に、少なくとも１度挿通されて前記取付部（３０，３０Ａ，３０Ｂ，３０Ｃ）に取り付けられることを特徴とするスライドファスナー用スライダー（１１）の引手（１０，１０Ａ，１０Ｂ，１０Ｃ）。
【請求項２】
前記第２挿通孔（３２，３２Ａ，３２Ｂ，３２Ｃ）は、その開口幅を狭めるように突出形成された一対の突部（３４，３４Ａ，３４Ｂ，３４Ｃ）を有することを特徴とする請求項１に記載のスライドファスナー用スライダー（１１）の引手（１０，１０Ａ，１０Ｂ，１０Ｃ）。
【請求項３】
前記引手部材（２０，２０Ａ，２０Ｂ，２０Ｃ）は、前記第１挿通孔（３１，３１Ａ，３１Ｂ，３１Ｃ）と前記第２挿通孔（３２，３２Ａ，３２Ｂ，３２Ｃ）とを隔離する隔離領域（Ｓ１，Ｓ２，Ｓ３，Ｓ４）を有し、
前記隔離領域（Ｓ１，Ｓ２，Ｓ３，Ｓ４）の表面及び裏面の少なくとも一方の少なくとも一部は、前記紐部材（４０）が架け渡されて隠されることを特徴とする請求項１又は２に記載のスライドファスナー用スライダー（１１）の引手（１０，１０Ａ，１０Ｂ，１０Ｃ）。
【請求項４】
スライドファスナー用スライダー（１１）のスライダー胴体（１２）に取り付けられる引手（１０）であって、
前記引手（１０）は、平板状の引手部材（２０）と、前記引手部材（２０）に取り付けられる紐部材（４０）と、を備え、
前記引手部材（２０）は、前記スライダー胴体（１２）に取り付けられる連結部（２２）と、前記連結部（２２）から延設されて前記紐部材（４０）が取り付けられる取付部（３０）と、を有し、
前記取付部（３０）は、表裏方向に貫通する第１挿通孔（３１）及び第２挿通孔（３２）を有し、
前記第１挿通孔（３１）は、前記取付部（３０）の左右方向中央に配置され、
前記第２挿通孔（３２）は、前記第１挿通孔（３１）の左右両側に一対で形成され、且つ前記取付部（３０）の外側面に開口する開口部（３３）を有し、
前記第２挿通孔（３２）は、少なくとも一部が前記第１挿通孔（３１）と前記連結部（２２）との間に配置され、
前記紐部材（４０）は、前記第１挿通孔（３１）及び前記第２挿通孔（３２）に少なくとも１度挿通されて前記取付部（３０）に取り付けられることを特徴とするスライドファスナー用スライダー（１１）の引手（１０）。
【請求項５】
スライドファスナー用スライダー（１１）のスライダー胴体（１２）に取り付けられる引手（１０Ａ）であって、
前記引手（１０Ａ）は、平板状の引手部材（２０Ａ）と、前記引手部材（２０Ａ）に取り付けられる紐部材（４０）と、を備え、
前記引手部材（２０Ａ）は、前記スライダー胴体（１２）に取り付けられる連結部（２２Ａ）と、前記連結部（２２Ａ）から延設されて前記紐部材（４０）が取り付けられる取付部（３０Ａ）と、を有し、
前記取付部（３０Ａ）は、表裏方向に貫通する略Ｕ字形の第１挿通孔（３１Ａ）と、表裏方向に貫通する略逆Ｕ字形の第２挿通孔（３２Ａ）と、前記第１挿通部（３１Ａ）と前記第２挿通部（３２Ａ）との間に配置される隔離領域（Ｓ２）と、を有し、
前記第１挿通孔（３１Ａ）は、前記取付部（３０Ａ）の左右方向中央に配置され、
前記第２挿通孔（３２Ａ）は、少なくとも一部が前記第１挿通孔（３１Ａ）と前記連結部（２２Ａ）との間に配置され、
前記第１挿通孔（３１Ａ）に囲まれた第１片部（３５Ａ）は、前記隔離領域（Ｓ２）から前記連結部（２２Ａ）側と反対側に延設され、
前記第２挿通孔（３２Ａ）に囲まれた第２片部（３６Ａ）は、前記隔離領域（Ｓ２）から前記連結部（２２Ａ）側に延設され、
前記紐部材（４０）は、前記第１挿通孔（３１Ａ）及び前記第２挿通孔（３２Ａ）に少なくとも１度挿通されて前記取付部（３０Ａ）に取り付けられることを特徴とするスライドファスナー用スライダー（１１）の引手（１０Ａ）。
【請求項６】
スライドファスナー用スライダー（１１）のスライダー胴体（１２）に取り付けられる引手（１０Ｂ，１０Ｃ）であって、
前記引手（１０Ｂ，１０Ｃ）は、平板状の引手部材（２０Ｂ，２０Ｃ）と、前記引手部材（２０Ｂ，２０Ｃ）に取り付けられる紐部材（４０）と、を備え、
前記引手部材（２０Ｂ，２０Ｃ）は、前記スライダー胴体（１２）に取り付けられる連結部（２２Ｂ，２２Ｃ）と、前記連結部（２２Ｂ，２２Ｃ）から延設されて前記紐部材（４０）が取り付けられる取付部（３０Ｂ，３０Ｃ）と、を有し、
前記取付部（３０Ｂ，３０Ｃ）は、表裏方向に貫通する第１挿通孔（３１Ｂ，３１Ｃ）と、表裏方向に貫通する略Ｃ字形の第２挿通孔（３２Ｂ，３２Ｃ）と、を有し、
前記第１挿通孔（３１Ｂ，３１Ｃ）は、前記取付部（３０Ｂ，３０Ｃ）の左右方向中央、且つ前記第２挿通孔（３２Ｂ、３２Ｃ）に囲まれた片部（３６Ｂ，３６Ｃ）の左右方向中央に配置され、
前記第２挿通孔（３２Ｂ，３２Ｃ）は、少なくとも一部が前記第１挿通孔（３１Ｂ，３１Ｃ）と前記連結部（２２Ｂ，２２Ｃ）との間に配置され、
前記紐部材（４０）は、前記第１挿通孔（３１Ｂ，３１Ｃ）及び前記第２挿通孔（３２Ｂ，３２Ｃ）に少なくとも１度挿通されて前記取付部（３０Ｂ，３０Ｃ）に取り付けられることを特徴とするスライドファスナー用スライダー（１１）の引手（１０Ｂ，１０Ｃ）。
【発明の詳細な説明】
【技術分野】
【０００１】
本発明は、スライドファスナー用スライダーの引手に関し、より詳細には、紐部材が取り付けられるスライドファスナー用スライダーの引手に関する。
【背景技術】
【０００２】
アウトドア商品には、スライダーの引手に紐部材を有するスライドファスナーが使用されているものがある。従来のこの種の引手としては、Ｕ字状の枠体にリング状の連結環を連結し、枠体の両側枠の中央に折返杆を、また先端に挿通杆を架設して、平紐や丸紐などの紐体を装着したスライドファスナー用スライダーの引手連結具が知られている（例えば、特許文献１参照）。また、連結体の一端に連結環を配置すると共に、連結体に設けた貫通孔に、反連結環側から２条の挿通孔を連設して、簡単な操作によって紐体を連結体に装着できるようにしたスライドファスナー用スライダーの引手連結具が知られている（例えば、特許文献２参照）。
【先行技術文献】
【特許文献】
【０００３】
【特許文献１】特許第３５２３０２８号公報
【特許文献２】特許第３５４４２８８号公報
【発明の概要】
【発明が解決しようとする課題】
【０００４】
しかしながら、上記特許文献１及び２に記載の引手は、紐体を連結具に装着する操作が面倒であり、実用性重視で装飾性に乏しく、近年デザイン性が求められるようになったアウトドア商品の引手としては、必ずしも適当ではなかった。
【０００５】
本発明は、前述した事情に鑑みてなされたものであり、その目的は、デザイン性に優れると共に、紐部材を容易に装着することができ、また、紐部材を容易に交換することができるスライドファスナー用スライダーの引手を提供することにある。
【課題を解決するための手段】
【０００６】
本発明の上記目的は、下記の構成により達成される。
（１）スライドファスナー用スライダーのスライダー胴体に取り付けられる引手であって、引手は、平板状の引手部材と、引手部材に取り付けられる紐部材と、を備え、引手部材は、スライダー胴体に取り付けられる連結部と、連結部から延設されて紐部材が取り付けられる取付部と、を有し、取付部は、表裏方向に貫通する第１挿通孔及び第２挿通孔を有し、第１挿通孔は、取付部の左右方向中央に配置され、第２挿通孔は、少なくとも一部が第１挿通孔と連結部との間に配置され、紐部材は、所定長さの紐体の略中央を折り返して形成した折り返し部を有し、折り返し部を第１挿通孔及び第２挿通孔の少なくとも一方に、少なくとも１度挿通されて取付部に取り付けられることを特徴とするスライドファスナー用スライダーの引手。
（２）第２挿通孔は、その開口幅を狭めるように突出形成された一対の突部を有することを特徴とする（１）に記載のスライドファスナー用スライダーの引手。
（３）引手部材は、第１挿通孔と第２挿通孔とを隔離する隔離領域を有し、隔離領域の表面及び裏面の少なくとも一方の少なくとも一部は、紐部材が架け渡されて隠されることを特徴とする（１）又は（２）に記載のスライドファスナー用スライダーの引手。
（４）スライドファスナー用スライダーのスライダー胴体に取り付けられる引手であって、引手は、平板状の引手部材と、引手部材に取り付けられる紐部材と、を備え、引手部材は、スライダー胴体に取り付けられる連結部と、連結部から延設されて紐部材が取り付けられる取付部と、を有し、取付部は、表裏方向に貫通する第１挿通孔及び第２挿通孔を有し、第１挿通孔は、取付部の左右方向中央に配置され、第２挿通孔は、第１挿通孔の左右両側に一対で形成され、且つ取付部の外側面に開口する開口部を有し、第２挿通孔は、少なくとも一部が第１挿通孔と連結部との間に配置され、紐部材は、第１挿通孔及び第２挿通孔に少なくとも１度挿通されて取付部に取り付けられることを特徴とするスライドファスナー用スライダーの引手。
（５）スライドファスナー用スライダーのスライダー胴体に取り付けられる引手であって、引手は、平板状の引手部材と、引手部材に取り付けられる紐部材と、を備え、引手部材は、スライダー胴体に取り付けられる連結部と、連結部から延設されて紐部材が取り付けられる取付部と、を有し、取付部は、表裏方向に貫通する略Ｕ字形の第１挿通孔と、表裏方向に貫通する略逆Ｕ字形の第２挿通孔と、第１挿通部と第２挿通部との間に配置される隔離領域と、を有し、第１挿通孔は、取付部の左右方向中央に配置され、第２挿通孔は、少なくとも一部が第１挿通孔と連結部との間に配置され、第１挿通孔に囲まれた第１片部は、隔離領域から連結部側と反対側に延設され、第２挿通孔に囲まれた第２片部は、隔離領域から連結部側に延設され、紐部材は、第１挿通孔及び第２挿通孔に少なくとも１度挿通されて取付部に取り付けられることを特徴とするスライドファスナー用スライダーの引手。
（６）スライドファスナー用スライダーのスライダー胴体に取り付けられる引手であって、引手は、平板状の引手部材と、引手部材に取り付けられる紐部材と、を備え、引手部材は、スライダー胴体に取り付けられる連結部と、連結部から延設されて紐部材が取り付けられる取付部と、を有し、取付部は、表裏方向に貫通する第１挿通孔と、表裏方向に貫通する略Ｃ字形の第２挿通孔と、を有し、第１挿通孔は、取付部の左右方向中央、且つ第２挿通孔に囲まれた片部の左右方向中央に配置され、第２挿通孔は、少なくとも一部が第１挿通孔と連結部との間に配置され、紐部材は、第１挿通孔及び第２挿通孔に少なくとも１度挿通されて取付部に取り付けられることを特徴とするスライドファスナー用スライダーの引手。
【発明の効果】
【０００７】
本発明のスライドファスナー用スライダーの引手によれば、引手部材の取付部は、表裏方向に貫通する第１挿通孔及び第２挿通孔を有し、紐部材は、第１挿通孔及び第２挿通孔の少なくとも一方に挿通されて取付部に取り付けられるため、引手及びこの引手を備えるスライダーのデザイン性を向上することができる。さらに、紐部材を容易に装着することができ、また、紐部材を容易に交換することができる。
【図面の簡単な説明】
【０００８】
【図１】本発明に係るスライドファスナー用スライダーの引手の第１実施形態が取り付けられたスライダーの平面図である。
【図２】図１に示す引手の引手部材の斜視図である。
【図３】図２に示す引手部材に紐部材が取り付けられた状態を示す平面図である。
【図４】本発明に係るスライドファスナー用スライダーの引手の第２実施形態の引手部材の斜視図である。
【図５】図４に示す引手部材に紐部材が取り付けられた状態を示す平面図である。
【図６】本発明に係るスライドファスナー用スライダーの引手の第３実施形態の引手部材の斜視図である。
【図７】図６に示す引手部材に紐部材を取り付ける第１例を説明する平面図である。
【図８】図６に示す引手部材に紐部材を取り付ける第２例を説明する平面図である。
【図９】図６に示す引手部材に紐部材を取り付ける第３例を説明する平面図である。
【図１０】本発明に係るスライドファスナー用スライダーの引手の第４実施形態の引手部材の斜視図である。
【図１１】図１０に示す引手部材に紐部材を取り付ける第１例を説明する平面図である。
【図１２】図１０に示す引手部材に紐部材を取り付ける第２例を説明する平面図である。
【図１３】図１０に示す引手部材に紐部材を取り付ける第３例を説明する平面図である。
【発明を実施するための形態】
【０００９】
以下、本発明に係るスライドファスナー用スライダーの引手の各実施形態について、図面に基づいて詳細に説明する。なお、以後の説明において、引手（引手部材）に関しては、表側とは図１の紙面に対して手前側、裏側とは図１の紙面に対して奥側、上側とは図１の紙面に対して上側、下側とは図１の紙面に対して下側、左側とは図１の紙面に対して左側、右側とは図１の紙面に対して右側とする。
【００１０】
（第１実施形態）
まず、図１〜図３を参照して、本発明に係るスライドファスナー用スライダーの引手の第１実施形態について説明する。
【００１１】
本実施形態の引手１０は、図１に示すように、スライドファスナー用スライダー(以下、単に「スライダー」とも言う)１１のスライダー胴体１２のカバー部材１３に取り付けられている。カバー部材１３は、スライダー胴体１２にかしめ固定されている。
【００１２】
引手１０は、図２及び図３に示すように、平板状の引手部材２０と、引手部材２０に取り付けられる紐部材４０と、を備える。
【００１３】
引手部材２０は、スライダー胴体１２に取り付けられる連結部２２と、連結部２２から延設されて紐部材４０が取り付けられる取付部３０と、有する。また、引手部材２０の外形形状は、略台形状の連結部２２と略半円形状の取付部３０を組み合わせた形状である。
【００１４】
連結部２２は、中央に矩形の引手開口部２３を設けることで、左右両側に一対の脚部２４が形成され、一対の脚部２４の先端同士が軸部２５で連結されている。軸部２５は、スライダー胴体１２のカバー部材１３に揺動自在に取り付けられる。
【００１５】
取付部３０には、左右方向中央に円形の第１挿通孔３１が表裏方向に貫通して形成されている。また、第１挿通孔３１の左右斜め上方には、第１挿通孔３１より小径の一対の第２挿通孔３２が表裏方向に貫通して形成されている。従って、一対の第２挿通孔３２は、第１挿通孔３１に対して左右対称に形成されている。
【００１６】
第２挿通孔３２は、斜め上方に向けて取付部３０の外側面に開口する開口部３３を有する。開口部３３には、第２挿通孔３２の開口幅を狭めるように突部３４が突出して形成されている。また、第２挿通孔３２は、第１挿通孔３１と連結部２２との間に配置されている。
【００１７】
第１挿通孔３１は、少なくとも２本の紐体４１が挿通可能な大きさに設定されている。第２挿通孔３２は、１本の紐体４１が挿通可能な開口幅に設定されている。また、突部３４により狭められた第２挿通孔３２の開口幅は、１本の紐体４１の太さより狭く設定されている。
【００１８】
紐部材４０は、所定の長さの紐体４１が略中央で折り返されてループ状になっており、その折り返された部分が折り返し部を形成している。また、紐体４１の揃えられた両端部には、摘み部４２が取り付けられている。摘み部４２は、例えば、合成樹脂の射出成形により形成されている。
【００１９】
次に、図３を参照して、紐部材４０の取付部３０への取り付けについて説明する。まず、紐体４１の折り返し部を、引手部材２０の表面から裏面に向けて第１挿通孔３１に挿通する。次いで、引手部材２０の裏面側で紐体４１を拡げて形成されるループに連結部２２を潜らせながら表面側に導き、開口部３３を通過させて一対の第２挿通孔３２に挿通する。そして、紐体４１を下方に引くことで、紐体４１が引き絞られて紐部材４０が取付部３０に取り付けられる。
【００２０】
続いて、図３を参照して、紐部材４０の取付部３０に取り付けられた状態について説明する。紐部材４０の折り返し部は、左右の第２挿通孔３２間に引っ掛けられ、左右の第２挿通孔３２には折り返し部と連続する紐体４１が１本ずつ挿通される。より詳細には、紐部材４０の折り返し部は、第２挿通孔３２間における取付部３０の表面及び裏面の一方を覆うように配置され、折り返し部と連続する紐体４１が表面及び裏面の他方に向かって第２挿通孔３２を通過する。その後、左右の第２挿通孔３２を通過した各紐体４１は、左右方向中央で合流して、取付部３０の表面及び裏面の他方から一方に向かって第１挿通孔３１を通過する。
【００２１】
また、引手部材２０は、第１挿通孔３１と一対の第２挿通孔３２とを隔離する一対の隔離領域Ｓ１を有しており、この一対の隔離領域Ｓ１の裏面の一部が架け渡された紐体４１により隠されている。
【００２２】
以上説明したように、本実施形態のスライドファスナー用スライダーの引手１０によれば、引手部材２０の取付部３０は、表裏方向に貫通する第１挿通孔３１及び一対の第２挿通孔３２を有し、紐部材４０は、第１挿通孔３１及び第２挿通孔３２に挿通されて取付部３０に取り付けられるため、引手１０及びこの引手１０を備えるスライダー１１のデザイン性を向上することができる。さらに、紐部材４０を容易に装着することができ、また、紐部材４０を容易に交換することができる。
【００２３】
また、本実施形態のスライドファスナー用スライダーの引手１０によれば、第２挿通孔３２の開口幅が突部３４により狭められているので、紐部材４０の紐体４１が第２挿通孔３２から外れてしまうのを防止することができる。
【００２４】
（第２実施形態）
次に、図４及び図５を参照して、本発明に係るスライドファスナー用スライダーの引手の第２実施形態について説明する。なお、第１実施形態と同一又は同等部分については、図面に同一或いは同等符号を付してその説明を省略或いは簡略化する。
【００２５】
本実施形態の引手１０Ａは、図４及び図５に示すように、平板状の引手部材２０Ａと、引手部材２０Ａに取り付けられる紐部材４０と、を備える。
【００２６】
引手部材２０Ａは、スライダー胴体１２に取り付けられる連結部２２Ａと、連結部２２Ａから延設されて紐部材４０が取り付けられる取付部３０Ａと、有する。また、引手部材２０Ａの外形形状は、略卵型形状である。
【００２７】
連結部２２Ａは、中央に略長円形状の引手開口部２３Ａを設けることで、左右両側に一対の脚部２４Ａが形成され、一対の脚部２４Ａの先端同士が軸部２５Ａで連結されている。軸部２５Ａは、スライダー胴体１２のカバー部材１３に揺動自在に取り付けられる。
【００２８】
取付部３０Ａには、左右方向中央に略Ｕ字形の第１挿通孔３１Ａが、その略Ｕ字形の開いた部分を連結部２２Ａ側に向けて表裏方向に貫通して形成されている。また、第１挿通孔３１Ａの上方には、略Ｕ字形の第２挿通孔３２Ａが、その略Ｕ字形の開いた部分を第１挿通孔３１Ａ側に向けて表裏方向に貫通して形成されている。従って、第２挿通孔３２Ａは、第１挿通孔３１Ａに対して左右対称に形成されている。なお、第２挿通孔３２Ａは略Ｕ字形と換言してもよい。
【００２９】
また、取付部３０Ａは、第１挿通孔３１Ａと第２挿通孔３２Ａとの間に配置される隔離領域Ｓ２を有する。そして、略Ｕ字形の第１挿通孔３１Ａに囲まれることにより形成される第１片部３５Ａは、隔離領域Ｓ２から連結部２２Ａ側と反対側に延設されている。また、略Ｕ字形の第２挿通孔３２Ａに囲まれることにより形成される第２片部３６Ａは、隔離領域Ｓ２から連結部２２Ａ側に延設されている。
【００３０】
また、第２挿通孔３２Ａの外側内周面の左右下端部には、第２挿通孔３２Ａの開口幅を狭めるように突部３４Ａが突出して形成されている。また、第２挿通孔３２Ａは、第１挿通孔３１Ａと連結部２２Ａとの間に配置されている。
【００３１】
第１挿通孔３１Ａ及び第２挿通孔３２Ａは、１本の紐体４１が挿通可能な開口幅に設定される。また、突部３４Ａにより狭められた第２挿通孔３２Ａの開口幅は、１本の紐体４１の太さより狭く設定されている。
【００３２】
次に、図５を参照して、紐部材４０の取付部３０Ａへの取り付けについて説明する。まず、紐体４１の折り返し部を、引手部材２０Ａの表面から裏面に向けて第１挿通孔３１Ａに挿通する。このとき、紐体４１は、第１挿通孔３１Ａの左右の上端に１本ずつ分けて挿通する。次いで、紐体４１を引手部材２０Ａの裏面から表面に向けて第２挿通孔３２Ａに挿通し、第２挿通孔３２Ａから引き出された紐体４１のループに、紐部材４０の摘み部４２を潜らせる。そして、紐体４１を下方に引くことで、紐体４１が引き絞られて紐部材４０が取付部３０Ａに取り付けられる。
【００３３】
続いて、図５を参照して、紐部材４０の取付部３０Ａに取り付けられた状態について説明する。紐部材４０の折り返し部と連続する各紐体４１は、第２挿通孔３２Ａの左右の下端部を、取付部３０Ａの表面及び裏面の一方から他方に向かって通過する。第２挿通孔３２Ａを通過した各紐体４１は、第１挿通孔３１Ａの左右の上端部を、表面及び裏面の他方から一方に向かって通過する。その後、第１挿通孔３１Ａを通過した各紐体４１は、左右方向中央で合流して、紐部材４０の折り返し部と折り返し部と連続する紐体４１により形成されるループを通過する。これにより、紐部材４０の折り返し部は、取付部３０Ａと一対の紐体４１との間に配置される。
【００３４】
また、引手部材２０Ａは、第１挿通孔３１Ａと第２挿通孔３２Ａとを隔離する隔離領域Ｓ２を有しており、この隔離領域Ｓ２の表面及び裏面の一部が架け渡された紐体４１により隠されている。
【００３５】
以上説明したように、本実施形態のスライドファスナー用スライダーの引手１０Ａによれば、引手部材２０Ａの取付部３０Ａは、表裏方向に貫通する第１挿通孔３１Ａ及び第２挿通孔３２Ａを有し、紐部材４０は、第１挿通孔３１Ａ及び第２挿通孔３２Ａに挿通されて取付部３０Ａに取り付けられるため、引手１０Ａ及びこの引手１０Ａを備えるスライダー１１のデザイン性を向上することができる。さらに、紐部材４０を容易に装着することができ、また、紐部材４０を容易に交換することができる。
【００３６】
また、本実施形態のスライドファスナー用スライダーの引手１０Ａによれば、第２挿通孔３２Ａの開口幅が突部３４Ａにより狭められているので、紐部材４０の紐体４１が第２挿通孔３２Ａ内で移動してしまうのを防止することができる。
その他の構成及び作用効果については、上記第１実施形態と同様である。
【００３７】
（第３実施形態）
次に、図６〜図９を参照して、本発明に係るスライドファスナー用スライダーの引手の第３実施形態について説明する。なお、第１実施形態と同一又は同等部分については、図面に同一或いは同等符号を付してその説明を省略或いは簡略化する。
【００３８】
本実施形態の引手１０Ｂは、図６及び図７に示すように、平板状の引手部材２０Ｂと、引手部材２０Ｂに取り付けられる紐部材４０と、を備える。
【００３９】
引手部材２０Ｂは、スライダー胴体１２に取り付けられる連結部２２Ｂと、連結部２２Ｂから延設されて紐部材４０が取り付けられる取付部３０Ｂと、を有する。また、引手部材２０Ｂの外形形状は、略ダルマ型形状である。
【００４０】
連結部２２Ｂは、中央に略長円形状の引手開口部２３Ｂを設けることで、左右両側に一対の脚部２４Ｂが形成され、一対の脚部２４Ｂの先端同士が軸部２５Ｂで連結されている。軸部２５Ｂは、スライダー胴体１２のカバー部材１３に揺動自在に取り付けられる。
【００４１】
取付部３０Ｂには、左右方向中央に円形の第１挿通孔３１Ｂが表裏方向に貫通して形成されている。また、第１挿通孔３１Ｂの外側には、略Ｃ字形の第２挿通孔３２Ｂが、その略Ｃ字形の開いた部分を下方に向けて表裏方向に貫通して形成されている。また、略Ｃ字形の第２挿通孔３２Ｂに囲まれることにより形成される片部３６Ｂの左右方向中央に第１挿通孔３１Ｂが配置されている。従って、第２挿通孔３２Ｂは、第１挿通孔３１Ｂに対して左右対称に形成されている。
【００４２】
第２挿通孔３２Ｂの外側内周面の左右下端部には、第２挿通孔３２Ｂの開口幅を狭めるように突部３４Ｂが突出して形成されている。また、第２挿通孔３２Ｂは、第１挿通孔３１Ｂと連結部２２Ｂとの間に配置されている。
【００４３】
第１挿通孔３１Ｂは、少なくとも２本の紐体４１が挿通可能な大きさに設定されている。第２挿通孔３２Ｂは、１本の紐体４１が挿通可能な開口幅に設定されている。また、突部３４Ｂにより狭められた第２挿通孔３２Ｂの開口幅は、１本の紐体４１の太さより狭く設定されている。
【００４４】
次に、図７を参照して、紐部材４０の取付部３０Ｂへの取り付けの第１例について説明する。まず、紐体４１の折り返し部を、引手部材２０Ｂの裏面から表面に向けて第１挿通孔３１Ｂに挿通する。次いで、第１挿通孔３１Ｂから引き出された紐体４１のループを左右に広げながら、第２挿通孔３２Ｂに引手部材２０Ｂの表面から裏面に向けて挿通する。このとき、紐体４１は、第２挿通孔３２Ｂの左右の下端に１本ずつ分けて挿通する。そして、紐体４１を下方に引くことで、紐体４１が引き絞られて紐部材４０が取付部３０Ｂに取り付けられる。
【００４５】
続いて、図７を参照して、上記第１例における紐部材４０の取付部３０Ｂに取り付けられた状態について説明する。紐部材４０の折り返し部は、第２挿通孔３２Ｂの左右の下端部間における取付部３０Ｂの表面及び裏面の一方を覆うように配置され、折り返し部と連続する各紐体４１は、取付部３０Ｂの表面及び裏面の一方から他方に向かって第２挿通孔３２Ｂの左右の下端部を通過する。第２挿通孔３２Ｂを通過した各紐体４１は、左右方向中央で合流して、取付部３０Ｂの表面及び裏面の他方から一方に向かって第１挿通孔３１を通過する。その後、一対の紐体４１は、紐部材４０の折り返し部と折り返し部と連続する紐体４１により形成されるループを通過する。これにより、一対の紐体４１は、紐部材４０の折り返し部と取付部３０Ｂとの間に配置される。
【００４６】
また、引手部材２０Ｂは、第１挿通孔３１Ｂと第２挿通孔３２Ｂとを隔離する隔離領域Ｓ３を有しており、この隔離領域Ｓ３の表面及び裏面の一部が架け渡された紐体４１により隠されている。
【００４７】
次に、図８を参照して、紐部材４０の取付部３０Ｂへの取り付けの第２例について説明する。まず、紐体４１の折り返し部を、引手部材２０Ｂの表面から裏面に向けて第１挿通孔３１Ｂに挿通する。次いで、第１挿通孔３１Ｂに挿通された紐体４１の折り返し部を、左右の紐体４１間に通しつつ取付部３０Ｂの下方を通過させて表面側に引き出した後、引き出された紐体４１のループを左右に広げながら、第２挿通孔３２Ｂに引手部材２０Ｂの表面から裏面に向けて挿通する。このとき、紐体４１は、第２挿通孔３２Ｂの左右の下端に１本ずつ分けて挿通する。そして、紐体４１を下方に引くことで、紐体４１が引き絞られて紐部材４０が取付部３０Ｂに取り付けられる。
【００４８】
続いて、図８を参照して、上記第２例における紐部材４０の取付部３０Ｂに取り付けられた状態について説明する。紐部材４０の折り返し部は、第２挿通孔３２Ｂの左右の下端部間における取付部３０Ｂの表面及び裏面の一方を覆うように配置され、折り返し部と連続する各紐体４１は、取付部３０Ｂの表面及び裏面の一方から他方に向かって第２挿通孔３２Ｂの左右の下端部を通過する。第２挿通孔３２Ｂを通過した各紐体４１は、左右方向中央で合流して、取付部３０Ｂの表面及び裏面の他方から一方に向かって取付部３０Ｂの下方を通過する。取付部３０Ｂの下方を通過した各紐体４１は、紐部材４０の折り返し部と取付部３０Ｂとの間を通過した後、取付部３０Ｂの表面及び裏面の一方から他方に向かって第１挿通孔３１Ｂを通過する。第１挿通孔３１Ｂを通過した各紐体４１は、第２挿通孔３２Ｂの左右の下端部から取付部３０Ｂの下方を通過した左右の紐体４１と取付部３０Ｂとの間をそれぞれ通過する。
【００４９】
また、この第２例の場合、上記隔離領域Ｓ３の表面及び裏面の一部が架け渡された紐体４１により隠されている。
【００５０】
次に、図９を参照して、紐部材４０の取付部３０Ｂへの取り付けの第３例について説明する。まず、紐体４１の折り返し部を、引手部材２０Ｂの表面から裏面に向けて第１挿通孔３１Ｂに挿通する。次いで、第１挿通孔３１Ｂに挿通された紐体４１の折り返し部を、取付部３０Ｂの下方を通過させて表面側に引き出した後、引き出された紐体４１のループ内に紐部材４０の摘み部４２を潜らせる。次いで、紐体４１のループを左右に広げながら、第２挿通孔３２Ｂに引手部材２０Ｂの表面から裏面に向けて挿通する。このとき、紐体４１は、第２挿通孔３２Ｂの左右の下端に１本ずつ分けて挿通する。次いで、第２挿通孔３２Ｂに挿通された紐体４１のループを下方に引き出した後、そのループに紐部材４０の摘み部４２を再度潜らせる。そして、紐体４１を下方に引くことで、紐体４１が引き絞られて紐部材４０が取付部３０Ｂに取り付けられる。
【００５１】
続いて、図９を参照して、上記第３例における紐部材４０の取付部３０Ｂに取り付けられた状態について説明する。紐部材４０の折り返し部は、取付部３０Ｂの下方に配置され、紐部材４０の折り返し部と連続する各紐体４１は、取付部３０Ｂの表面及び裏面の一方から他方に向かって第２挿通孔３２Ｂの左右の下端部を通過する。第２挿通孔３２Ｂを通過した各紐体４１は、取付部３０Ｂの表面及び裏面の他方から一方に向かって取付部３０Ｂの下方を通過する。取付部３０Ｂの下方を通過した各紐体４１は、左右方向中央で合流して、取付部３０Ｂの表面及び裏面の一方から他方に向かって第１挿通孔３１Ｂを通過する。第１挿通孔３１Ｂを通過した各紐体４１は、取付部３０Ｂの下方に配置された紐部材４０の折り返し部と取付部３０Ｂとの間を通過する。
【００５２】
また、この第３例の場合、上記隔離領域Ｓ３の表面及び裏面の一部が架け渡された紐体４１により隠されている。
【００５３】
以上説明したように、本実施形態のスライドファスナー用スライダーの引手１０Ｂによれば、引手部材２０Ｂの取付部３０Ｂは、表裏方向に貫通する第１挿通孔３１Ｂ及び第２挿通孔３２Ｂを有し、紐部材４０は、第１挿通孔３１Ｂ及び第２挿通孔３２Ｂに挿通されて取付部３０Ｂに取り付けられるため、引手１０Ｂ及びこの引手１０Ｂを備えるスライダー１１のデザイン性を向上することができる。さらに、紐部材４０を容易に装着することができ、また、紐部材４０を容易に交換することができる。
【００５４】
また、本実施形態のスライドファスナー用スライダーの引手１０Ｂによれば、第２挿通孔３２Ｂの開口幅が突部３４Ｂにより狭められているので、紐部材４０の紐体４１が第２挿通孔３２Ｂ内で移動してしまうのを防止することができる。
その他の構成及び作用効果については、上記第１実施形態と同様である。
【００５５】
（第４実施形態）
次に、図１０〜図１３を参照して、本発明に係るスライドファスナー用スライダーの引手の第４実施形態について説明する。なお、第１実施形態と同一又は同等部分については、図面に同一或いは同等符号を付してその説明を省略或いは簡略化する。
【００５６】
本実施形態の引手１０Ｃは、図１０及び図１１に示すように、平板状の引手部材２０Ｃと、引手部材２０Ｃに取り付けられる紐部材４０と、を備える。
【００５７】
引手部材２０Ｃは、スライダー胴体１２に取り付けられる連結部２２Ｃと、連結部２２Ｃから延設されて紐部材４０が取り付けられる取付部３０Ｃと、を有する。また、引手部材２０Ｃの外形形状は、略五角形形状である。
【００５８】
連結部２２Ｃは、中央に矩形の引手開口部２３Ｃを設けることで、左右両側に一対の脚部２４Ｃが形成され、一対の脚部２４Ｃの先端同士が軸部２５Ｃで連結されている。軸部２５Ｃは、スライダー胴体１２のカバー部材１３に揺動自在に取り付けられる。
【００５９】
取付部３０Ｃには、左右方向中央に円形の第１挿通孔３１Ｃが表裏方向に貫通して形成されている。また、第１挿通孔３１Ｃの外側には、略Ｃ字形の第２挿通孔３２Ｃが、その略Ｃ字形の開いた部分を上方に向けて表裏方向に貫通して形成されている。また、略Ｃ字形の第２挿通孔３２Ｃに囲まれることにより形成される片部３６Ｃの左右方向中央に第１挿通孔３１Ｃが配置されている。従って、第２挿通孔３２Ｃは、第１挿通孔３１Ｃに対して左右対称に形成されている。
【００６０】
第２挿通孔３２Ｃの内側内周面の左右上端部には、第２挿通孔３２Ｃの開口幅を狭めるように突部３４Ｃが突出して形成されている。また、第２挿通孔３２Ｃは、その一部が第１挿通孔３１Ｃと連結部２２Ｃとの間に配置されている。
【００６１】
第１挿通孔３１Ｃは、少なくとも２本の紐体４１が挿通可能な大きさに設定されている。第２挿通孔３２Ｃは、１本の紐体４１が挿通可能な開口幅に設定されている。また、突部３４Ｃにより狭められた第２挿通孔３２Ｃの開口幅は、１本の紐体４１の太さより狭く設定されている。
【００６２】
次に、図１１を参照して、紐部材４０の取付部３０Ｃへの取り付けの第１例について説明する。まず、紐体４１の折り返し部を、引手部材２０Ｃの表面から裏面に向けて第２挿通孔３２Ｃに挿通すると共に、挿通した左右の紐体４１を第２挿通孔３２Ｃの左右の上端にそれぞれ移動する。次いで、第２挿通孔３２Ｃに挿通された紐体４１の折り返し部を、第１挿通孔３１Ｃに引手部材２０Ｃの裏面から表面に向けて挿通する。次いで、第１挿通孔３１Ｃに挿通され表面側に引き出された紐体４１のループ内に紐部材４０の摘み部４２を潜らせる。そして、紐体４１を下方に引くことで、紐体４１が引き絞られて紐部材４０が取付部３０Ｃに取り付けられる。
【００６３】
続いて、図１１を参照して、上記第１例における紐部材４０の取付部３０Ｃに取り付けられた状態について説明する。紐部材４０の折り返し部は、第１挿通孔３１Ｃの近傍において取付部３０Ｃの表面及び裏面の一方に配置され、紐部材４０の折り返し部と連続する各紐体４１は、取付部３０Ｃの表面及び裏面の一方から他方に向かって第１挿通孔３１Ｃを通過する。第１挿通孔３１Ｃを通過した各紐体４１は、取付部３０Ｃの表面及び裏面の他方から一方に向かって第２挿通孔３２Ｃの左右の上端部を通過する。第２挿通孔３２Ｃを通過した各紐体４１は、左右方向中央で合流して、紐部材４０の折り返し部と折り返し部と連続する紐体４１により形成されるループを通過する。
【００６４】
また、引手部材２０Ｃは、第１挿通孔３１Ｃと第２挿通孔３２Ｃとを隔離する隔離領域Ｓ４を有しており、この隔離領域Ｓ４の表面及び裏面の一部が架け渡された紐体４１により隠されている。
【００６５】
次に、図１２を参照して、紐部材４０の取付部３０Ｃへの取り付けの第２例について説明する。まず、紐体４１の折り返し部を、引手部材２０Ｃの表面から裏面に向けて第１挿通孔３１Ｃに挿通する。次いで、第１挿通孔３１Ｃに挿通された紐体４１の折り返し部を、第２挿通孔３２Ｃに引手部材２０Ｃの裏面から表面に向けて挿通する。次いで、第２挿通孔３２Ｃに挿通され表面側に引き出された紐体４１のループ内に紐部材４０の摘み部４２を潜らせる。次いで、第２挿通孔３２Ｃに挿通した左右の紐体４１を第２挿通孔３２Ｃの左右の上端にそれぞれ移動する。そして、紐体４１を下方に引くことで、紐体４１が引き絞られて紐部材４０が取付部３０Ｃに取り付けられる。
【００６６】
続いて、図１２を参照して、上記第２例における紐部材４０の取付部３０Ｃに取り付けられた状態について説明する。紐部材４０の折り返し部は、第２挿通孔３２Ｃの左右の上端部間における取付部３０Ｃの表面及び裏面の一方を覆うように配置され、折り返し部と連続する各紐体４１は、取付部３０Ｃの表面及び裏面の一方から他方に向かって第２挿通孔３２Ｃの左右の上端部を通過する。第２挿通孔３２Ｃを通過した各紐体４１は、左右方向中央で合流しつつ、取付部３０Ｃの表面及び裏面の他方から一方に向かって第１挿通孔３１Ｃを通過する。
【００６７】
また、この第２例の場合、上記隔離領域Ｓ４の表面及び裏面の一部が架け渡された紐体４１により隠されている。
【００６８】
次に、図１３を参照して、紐部材４０の取付部３０Ｃへの取り付けの第３例について説明する。まず、紐体４１の折り返し部を、引手部材２０Ｃの表面から裏面に向けて第１挿通孔３１Ｃに挿通する。次いで、第１挿通孔３１Ｃに挿通された紐体４１の折り返し部を、第２挿通孔３２Ｃに引手部材２０Ｃの裏面から表面に向けて挿通する。次いで、第２挿通孔３２Ｃに挿通され表面側に引き出された紐体４１のループ内に紐部材４０の摘み部４２を潜らせる。次いで、第２挿通孔３２Ｃに挿通した左右の紐体４１を第２挿通孔３２Ｃの左右の上端にそれぞれ移動する。次いで、第２挿通孔３２Ｃに挿通された紐体４１の折り返し部を、左右の紐体４１間に通しつつ第２挿通孔３２Ｃに引手部材２０Ｃの表面から裏面に向けて再度挿通して、取付部３０Ｃの下方まで引き出す。次いで、取付部３０Ｃの下方に引き出された紐体４１のループ内に紐部材４０の摘み部４２を潜らせる。そして、紐体４１を下方に引くことで、紐体４１が引き絞られて紐部材４０が取付部３０Ｃに取り付けられる。
【００６９】
続いて、図１３を参照して、上記第３例における紐部材４０の取付部３０Ｃに取り付けられた状態について説明する。紐部材４０の折り返し部は、取付部３０Ｃの下方に配置され、紐部材４０の折り返し部と連続する各紐体４１は、取付部３０Ｃの表面及び裏面の一方から他方に向かって第２挿通孔３２Ｃの左右方向中央を通過する。第２挿通孔３２Ｃの左右方向中央を通過した各紐体４１は、左右方向中央で合流しつつ、取付部３０Ｃの表面及び裏面の他方から一方に向かって第２挿通孔３２Ｃの左右の上端部を通過する。第２挿通孔３２Ｃの左右の上端部を通過した各紐体４１は、取付部３０Ｃの表面及び裏面の一方から他方に向かって第１挿通孔３１Ｃを通過する。第１挿通孔３１Ｃを通過した各紐体４１は、第２挿通孔３２Ｃの左右方向中央から第２挿通孔３２Ｃの左右の上端部に延びる一対の紐体４１の左右方向外側をそれぞれ通った後、紐部材４０の折り返し部と折り返し部と連続する紐体４１により形成されるループを通過する。
【００７０】
また、この第３例の場合、上記隔離領域Ｓ４の表面及び裏面の一部が架け渡された紐体４１により隠されている。
【００７１】
以上説明したように、本実施形態のスライドファスナー用スライダーの引手１０Ｃによれば、引手部材２０Ｃの取付部３０Ｃは、表裏方向に貫通する第１挿通孔３１Ｃ及び第２挿通孔３２Ｃを有し、紐部材４０は、第１挿通孔３１Ｃ及び第２挿通孔３２Ｃに挿通されて取付部３０Ｃに取り付けられるため、引手１０Ｃ及びこの引手１０Ｃを備えるスライダー１１のデザイン性を向上することができる。さらに、紐部材４０を容易に装着することができ、また、紐部材４０を容易に交換することができる。
【００７２】
また、本実施形態のスライドファスナー用スライダーの引手１０Ｃによれば、第２挿通孔３２Ｃの開口幅が突部３４Ｃにより狭められているので、紐部材４０の紐体４１が第２挿通孔３２Ｃ内で移動してしまうのを防止することができる。
その他の構成及び作用効果については、上記第１実施形態と同様である。
【００７３】
なお、本発明は上記各実施形態に例示したものに限定されるものではなく、本発明の要旨を逸脱しない範囲において適宜変更可能である。
例えば、紐部材の引手部材への取り付け方は、各実施形態に示したものに限定されず、任意の取り付け方が可能である。
また、引手部材の外形形状は、各実施形態に示したものに限定されず、任意の形状とすることが可能である。
【符号の説明】
【００７４】
１０，１０Ａ，１０Ｂ，１０Ｃ    引手
１１    スライドファスナー用スライダー
１２    スライダー胴体
２０，２０Ａ，２０Ｂ，２０Ｃ    引手部材
２２，２２Ａ，２２Ｂ，２２Ｃ    連結部
３０，３０Ａ，３０Ｂ，３０Ｃ    取付部
３１，３１Ａ，３１Ｂ，３１Ｃ    第１挿通孔
３２，３２Ａ，３２Ｂ，３２Ｃ    第２挿通孔
３４，３４Ａ，３４Ｂ，３４Ｃ    突部
４０  紐部材
４１  紐体
４２  摘み部
Ｓ１，Ｓ２，Ｓ３，Ｓ４    隔離領域
【図１】
2015213601.tif 000003
【図２】
2015213601.tif 000004
【図３】
2015213601.tif 000005
【図４】
2015213601.tif 000006
【図５】
2015213601.tif 000007
【図６】
2015213601.tif 000008
【図７】
2015213601.tif 000009
【図８】
2015213601.tif 000010
【図９】
2015213601.tif 000011
【図１０】
2015213601.tif 000012
【図１１】
2015213601.tif 000013
【図１２】
2015213601.tif 000014
【図１３】
2015213601.tif 000015